(57)【特許請求の範囲】
【請求項１】
多数の遊技機器を室内に複数列に配置した遊技場において、その室内の床下に、空調機に連なる空調ダクト部を、上記遊技機器の列を横断する方向に構成すると共に、遊技機器の各列の下部には連通空間部を構成して、各列と上記空調ダクト部との交差位置において、空調ダクト部と連通空間部を連通させる空気連通部を床に構成すると共に、遊技機器の各列に沿った連通空間部には空気吹出口を複数個所に設置し、また遊技場の天井には天井空間と連通する空気連通部を構成すると共に、天井空間内の空気を排出する排気装置を構成し、上記空調ダクト部は複数列構成して、夫々の列から空調空気を供給する遊技機器の列を異ならせ、空調ダクト部と、それから空調空気を供給する遊技機器の列との交差位置において上記空気連通部を形成することを特徴とする遊技場における空調システム。
【請求項２】
遊技機器の各列の連通空間部は、列を構成する複数の遊技機器を設置する台に構成したことを特徴とする請求項１に記載の遊技場における空調システム
【請求項３】
空調ダクト部は、床下にコンクリート製ダクトを埋設して構成したことを特徴とする請求項１に記載の遊技場における空調システム
【発明の詳細な説明】
【０００１】
【発明の属する技術分野】
本発明は、パチンコ台等の多数の遊技機器が連続して縦横に配設された遊技場における空調システムに関するものである。
【０００２】
【従来の技術】
例えばパチンコ台等の多数の遊技機器が連続して縦横に配設された遊技場における従来の空調システムとしては、天井カセット型のパッケージ空調機を天井に設置して、天井側から空調空気を吹き出す方式と、図５に示すように、床置きのパッケージ空調機ａを設置して、空調空気をダクト系ｂにより室内ｃの天井側の吹出口ｄから吹き出したり、直接に空調機から吹き出す方式が一般的に行われており、このような空調システムでは天井側に循環系の吸込口ｅを設けている。また図５に示す空調システムでは、吸込口ｆから室内ｃの空気を吸引して外気に排出する排気装置ｇを構成している。
【０００３】
上述したような遊技場では、遊技をする人が非常に高密度に配置されるため人体からの発熱が多く、また店内の照度を高くするため照明機器からの発熱負荷も大きい。このため空調負荷は年間を通じて冷房負荷となり、特に夏季には冷房負荷が非常に過大となる。
【０００４】
また遊技場では一般的に喫煙が多く、煙を迅速に除去するために空気清浄機を設置したり、換気量を増やすことが行われている。
【０００５】
【発明が解決しようとする課題】
上述した従来の空調システムでは、空調空気を室内の天井側の吹出口から吹き出すと共に、室内の空気を天井側に設けた吸込口から吸い込むため、空調空気が室内の空気と共に吸込口から吸い込まれてしまって、空調効率が低下するという課題がある。
【０００６】
一方、吹き出された空調空気によって室内気流が生じ、この室内気流によって喫煙による煙が、室内に拡散されてしまって、排気装置により効率的に排出することができず、店内の視界が悪くなる等、環境が悪化するという課題がある。
【０００７】
また、夏季では冷房負荷が大きいため空調空気の風量を多くする必要があり、また、吹出口は遊技客が座る通路側に集中的に設けることになるため、吹き出された空調空気が遊技客に直接当たる席が生じ、この場合には遊技客に不快感を与えることとなる。
【０００８】
本発明は、このような課題を解決することを目的とすると共に、遊技場において、従来使用されていなかったスペースを空調空気の経路として有効利用することを目的とするものである。
【０００９】
【課題を解決するための手段】
上述した課題を解決するために本発明では、多数の遊技機器を室内に複数列に配置した遊技場において、その室内の床下に、空調機に連なる空調ダクト部を、上記遊技機器の列を横断する方向に構成すると共に、遊技機器の各列の下部には連通空間部を構成して、各列と上記空調ダクト部との交差位置において、空調ダクト部と連通空間部を連通させる空気連通部を床に構成すると共に、遊技機器の各列に沿った連通空間部には空気吹出口を複数個所に設置し、また遊技場の天井には天井空間と連通する空気連通部を構成すると共に、天井空間内の空気を排出する排気装置を構成し、上記空調ダクト部は複数列構成して、夫々の列から空調空気を供給する遊技機器の列を異ならせ、空調ダクト部と、それから空調空気を供給する遊技機器の列との交差位置において上記空気連通部を形成した遊技場における空調システムを提案するものである。
【００１０】
また本発明では、上記の構成において、遊技機器の各列の連通空間部は、列を構成する複数の遊技機器を設置する台に構成することを提案する。
【００１１】
また本発明では、上記の構成において、空調ダクト部は、床下にコンクリート製ダクトを埋設して構成することを提案する。
【００１２】
以上の本発明によれば、空調機からの空調空気は、遊技機器を設置した室の床下に構成した複数列の空調ダクト部の夫々を流れて、遊技機器の各列の下方に至り、空調ダクト部の夫々の列から、対応する遊技機器の列との交差位置において、床に構成した空気連通部を経て、遊技機器の各列の下部に構成した連通空間部に流入する。次いで連通空間部に流入した空調空気は連通空間部を流れて、その適所に設けた空気吹出口から室内に流出する。
【００１３】
一方、天井空間内の空気は、排気装置により室外に排出されるため、室内の天井よりも下方の空気は吸込口から天井空間内に吸引される。従って、遊技機器を設置した室内には、床側から天井側に至る一方向の気流が生じるので、従来の空調システムでは室内の天井下側に滞留しやすかった温度の高い空気や煙草の煙は、室内から吸込口を経て天井空間内に流入して溜まり、次いで排気装置により天井空間内から外部に排出される。
【００１４】
【発明の実施の形態】
次に本発明の実施の形態を図を参照して説明する。
図１、図２は本発明に係る空調システムを概念的に示す夫々側面図、平面図であり、また図３は図２のＡ−Ａ線断面に対応する個所の具体的構成例を示す断面図、図４は図２のＢ−Ｂ線断面に対応する個所の具体的構成例を示す斜視図的断面図である。
【００１５】
これらの図において、符号１は遊技場の室内を示すもので、この遊技場の室内１には、例えばパチンコ台等の多数の遊技機器２が複数の列Ｒに配置されている。これらの列Ｒは、いわゆる「島」と称されるもので、この実施の形態では、列Ｒは８列（Ｒ１，Ｒ２，Ｒ３，…，Ｒ８）構成されている。複数の遊技機器２は、室内１の床３に、Ｃ型鋼等の空間部を有する共通の台４を介して連設されており、台４の空間部は一つの列の複数の遊技機器２に沿って連通する連通空間部５となる。
【００１６】
符号６は遊技場の室内１に隣接して構成した空調機室であり、この空調機室６内に床置きのパッケージ空調機７が設置されている。
【００１７】
遊技場の室内１の床３の下方には空調機室６内の空調機７の吐出側ダクト８に連なる空調ダクト部９を、遊技機器２の複数の列Ｒを横断する方向に構成している。この実施の形態では、空調ダクト部９は図２〜図４に示されるように３つ並設して構成され、図２において最も左側の空調ダクト部９ａは列Ｒ１〜Ｒ３に渡って構成され、また中央の空調ダクト部９ｂは列Ｒ１〜Ｒ６に渡って構成され、更に最も右側の空調ダクト部９ｃは列Ｒ１〜Ｒ８に渡って構成されている。尚、図２においては、構成を分かりやすくするために便宜的に空調機７と空調ダクト部９にハッチングを付している。
【００１８】
これらの空調ダクト部９（９ａ，９ｂ，９ｃ）は図３、図４に示すようにコンクリート製ダクト、この場合、既製のＵ字溝１０を利用して構成している。即ち、床３を構成するコンクリートの下側に、蓋１１を装着した３列のＵ字溝１０を設置し、その下面側、側面側及び周囲に適宜距離離れた位置までポリスチレンフォーム等の断熱材１２を設置しており、周囲に設置した断熱材１２の下部には防湿のためにポリエチレンフィルムを敷いている。
【００１９】
そして空調ダクト部９と遊技機器２の列Ｒが交差する位置において、床３に空調ダクト部９と連通空間部５とを連通させる空気連通部１３を構成している。空調ダクト部９ａは列Ｒ１〜Ｒ３に対応して、それらとの交差位置に空気連通部１３ａを構成しており、また空調ダクト部９ｂは列Ｒ４〜Ｒ６に対応して、それらとの交差位置に空気連通部１３ｂを構成しており、更に空調ダクト部９ｃは列Ｒ７、Ｒ８に対応して、それらとの交差位置に空気連通部１３ｃを構成している。即ち、空調ダクト部９ａは列Ｒ１〜Ｒ３にのみ空調空気を供給する構成、また空調ダクト部９ｂは列Ｒ４〜Ｒ６にのみ空調空気を供給する構成、更に空調ダクト部９ｃは列Ｒ７，Ｒ８にのみ空調空気を供給する構成としている。このように本発明では、列Ｒの数に応じて複数列の空調ダクト部９を構成することにより、夫々の空調ダクト部９のサイズを小さくすることができ、従って設置のための工事費用を削減することができ、また既製のＵ字溝等の安価な材料を利用できると共に、各列Ｒにバランス良く空調空気を供給可能な構成とすることができる。
【００２０】
また、上記連通空間部５を構成している遊技機器２の台４の適所には空気吹出口１４を複数設けている。この空気吹出口１４は、遊技機器２が列Ｒの両面側に構成されている場合には、その両面側に対応して設けている。これらの空気吹出口１４は、例えばレジスターやルーバーを利用することができる。
【００２１】
更に、図１に示すように、遊技場の天井１５には天井空間１６と連通する空気連通部１７を構成しており、そして天井空間１６内の空気を排出する排気装置１８を構成している。天井１５は、この実施の形態においては、ルーバー天井として空気連通部１７を構成している。
【００２２】
さらに、図１に示すように、遊技場の壁面には、室内１の空気を吸引して空調機７に還流させるための吸引口１９を設けており、また空調機７には外気を取り入れるための外気取入部２０を構成している。
【００２３】
以上の構成において、空調機室６内の空調機７からの空調空気は、吐出側ダクトから空調ダクト部９に供給されて、この空調ダクト部９を流れて行き、遊技機器２の列Ｒの下方に至る。このように空調ダクト部９を流れて、列Ｒの下方に至った空調空気は、床３に構成した空気連通部１３を経て、遊技機器２の下側の共通の台４に構成した連通空間部５内に流入し、この連通空間部５を流れて適所の複数個所に設けた空気吹出口１４から室内１に流出する。
【００２４】
一方、天井空間１６内に溜まっている空気は、排気装置１８により室外に排出されるため、室内１の、天井１５よりも下方の空気は、空気連通部１７を通って天井空間１６内に吸引される。従って、遊技機器２を設置した室内１には、床３側から天井１５側に至る一方向の気流が生じるので、従来の空調システムでは室内１の天井下側に滞留しやすかった温度の高い空気や煙草の煙は、室内１から空気連通部１７を経て天井空間１６内に流入し、次いで排気装置１８により天井空間１６内から室外に排出される。
【００２５】
尚、室内１の空気の一部は、吸引口１９から吸引側ダクト２１を通って空調機７の吸込側に還流し、一方、外気取入部２０から空調機７に流入した外気は吐出側ダクトから空調ダクト部９に供給されて、上述したように室内１に供給される。こうして室内１の空気が、排気装置１８により天井空間１６内を経て室外に排出されることと併せて、室内１の換気が行われる。
【００２６】
【発明の効果】
本発明は以上のとおりであるので、次のような効果がある。
ａ．遊技場の空調及び換気に際して、空調空気を室内の床側から供給し、室内の空気は、一部は室内の上部から空調機に還流させると共に、他の一部は天井空間を経て屋外に排出することにより、室内の床側から天井側に至る一方向の気流が形成されるので、従来の空調システムでは室内の天井下側に滞留しやすかった温度の高い空気や煙草の煙を散乱させずに効率よく排出することができる。
ｂ．このため空調エネルギーを削減することができると共に、煙の滞留による視界の悪さを確実に解消することができる。
ｃ．床側からの空調空気の供給は、床下に設置した空調ダクト部から遊技機器の列の下部に構成した連通空間部を経て、連通空間部に構成した空気吹出口から吹き出して行う構成であるので、設置するダクト等を必要最小限とすることができ、省スペースであると共に低コストで構成することができ、また吹出空気が直接に客の身体に当たらないようにすることができ、夏季の冷房負荷の大きいときにも不快感を与えることがない。
ｄ．床下の空調ダクト部としては、既製のＵ字溝等の安価な材料を利用でき、また遊技機器の列数に応じて複数の空調ダクト部を並列に構成することにより、夫々の空調ダクト部のサイズを小さくすることができ、従って設置のための工事費用を削減することができると共に、各列にバランス良く空調空気を供給可能な構成とすることができる。
【図面の簡単な説明】
【図１】  本発明に係る空調システムを概念的に示す側面図である。
【図２】  本発明に係る空調システムを概念的に示す平面図である。
【図３】  図２のＡ−Ａ線断面に対応する個所の具体的構成例を示す断面図である。
【図４】  図２のＢ−Ｂ線断面に対応する個所の具体的構成例を示す斜視図的断面図である。
【図５】  遊技場における空調システムの従来例を概念的に示す側面図である。
【符号の説明】
１                        遊技場の室内
２                        遊技機器
３                        床
４                        台
５                        連通空間部
６                        空調機室
７                        パッケージ空調機
８                        吐出側ダクト
９（９ａ，９ｂ，９ｃ）    空調ダクト部
１０                      Ｕ字溝
１１                      蓋
１２                      断熱材
１３（１３ａ，１３ｂ，１３ｃ）      空気連通部
１４                      空気吹出口
１５                      天井
１６                      天井空間
１７                      空気連通部
１８                      排気装置
１９                      吸引口
２０                      外気取入部
２１                      吸引側ダクト
【図１】
0003924633.tif 000002
【図２】
0003924633.tif 000003
【図３】
0003924633.tif 000004
【図４】
0003924633.tif 000005
【図５】
0003924633.tif 000006